(57)【要約】【課題】電力ピークの発生やブレーカーの作動による給電の停止を防止し、より安定的に保冷庫に給電することができる給電装置を提供することができる。【解決手段】複数の保冷庫に給電を行う複数のコンセントに対する前記複数の保冷庫の電源プラグの挿入を検出する検出部と、前記複数の保冷庫の電源プラグのいずれかが前記複数のコンセントのいずれかに挿入されたことが検出され、該電源プラグが挿入されたコンセントを介して給電した際に、給電中となるコンセントの総数が所定のコンセント数以下となる場合に、前記電源プラグが挿入されたコンセントを介して給電を行い、前記給電中となるコンセントの数が前記所定のコンセント数以下とならない場合に、前記電源プラグが挿入されたコンセントを介した給電を行わない給電制御部と、を備える。【選択図】図１
2020137246.tif 000002
【特許請求の範囲】
【請求項１】
物品を保冷しつつ収容し、前記物品の配送に用いられる複数の保冷庫に給電を行う給電装置であって、
前記複数の保冷庫に給電を行う複数のコンセントに対する前記複数の保冷庫の電源プラグの挿入を検出する検出部と、
前記複数の保冷庫の電源プラグのいずれかが前記複数のコンセントのいずれかに挿入されたことが検出され、該電源プラグが挿入されたコンセントを介して給電した際に、給電中となるコンセントの総数が所定のコンセント数以下となる場合に、前記電源プラグが挿入されたコンセントを介して給電を行い、前記給電中となるコンセントの数が前記所定のコンセント数以下とならない場合に、前記電源プラグが挿入されたコンセントを介した給電を行わない給電制御部と、
を備える給電装置。
【請求項２】
前記電源プラグを有する保冷庫の情報と、該電源プラグの挿入が検出されたコンセントの情報とを対応付けた対応情報を管理する情報管理部を備え、前記給電制御部は、前記対応情報に基づいて前記給電の制御を行う請求項１に記載の給電装置。
【請求項３】
前記電源プラグがコンセントに挿入された際に、該電源プラグを有する保冷庫の情報を、該保冷庫から取得する情報取得部をさらに備えることを特徴とする請求項２に記載の給電装置。
【請求項４】
前記電源プラグがコンセントに挿入された際に、該電源プラグを有する保冷庫の情報を、該保冷庫の情報を管理するサーバ装置から取得する情報取得部をさらに備えることを特徴とする請求項２に記載の給電装置。
【請求項５】
前記保冷庫の情報は、該保冷庫が保冷可能な残り時間である蓄冷残時間と、該保冷庫が保冷する必要がある時間である必要保冷時間とを含み、前記給電制御部は、前記蓄冷残時間が前記必要保冷時間以上となるまで前記給電を行う請求項２または３に記載の給電装置。
【請求項６】
前記給電制御部は、前記蓄冷残時間と前記必要保冷時間との差が小さい保冷庫から順に前記給電が行われるように優先順位を決定し、該優先順位にしたがって前記給電を行う請求項５に記載の給電装置。
【請求項７】
前記給電制御部は、前記蓄冷残時間と前記必要保冷時間との差が大きい保冷庫から順に前記給電が行われるように優先順位を決定し、該優先順位にしたがって前記給電を行う請求項５に記載の給電装置。
【請求項８】
前記給電制御部は、前記対応情報に情報が先に登録された保冷庫から順に前記給電が行われるように優先順位を決定し、該優先順位にしたがって前記給電を行う請求項２〜４のいずれか１項に記載の給電装置。
【請求項９】
前記給電制御部は、時間帯に応じて前記給電を行う際の優先順位を切り替える請求項２〜４のいずれか１項に記載の給電装置。
【請求項１０】
前記複数のコンセントに対する給電状況をコンセント毎に表示する状態表示部を有する請求項１〜８のいずれか一項に記載の給電装置。
【請求項１１】
前記給電制御部は、時間帯に応じて前記所定のコンセント数を切り替える請求項１〜１０のいずれか１項に記載の給電装置。
【請求項１２】
前記給電制御部は、時期に応じて前記所定のコンセント数を切り替える請求項１〜１１のいずれか１項に記載の給電装置。
【請求項１３】
前記給電制御部は、前記複数の保冷庫に所定の条件を満たすまで給電を行うように設定されており、前記所定の条件を満たした保冷庫が使用されるまでの時間が所定の時間以上ある場合に、前記所定の条件を満たした後も給電を継続する請求項１〜１２のいずれか１項に記載の給電装置。
【請求項１４】
前記給電制御部は、前記所定の条件を満たした複数の保冷庫に対して順番に給電を行う請求項１３に記載の給電装置。
【発明の詳細な説明】
【技術分野】
【０００１】
本発明は、保冷庫の給電を行う給電装置に関する。
【背景技術】
【０００２】
物流において、低温を維持した状態で搬送および納品を行う必要がある生鮮食料等の物品は、通常、断熱効果を備える保冷庫に積み込まれて配送されている。保冷庫は、自身が有する蓄冷体で庫内を冷却することで物品を所定温度域に保持している。保冷庫は、給電装置から給電を受けることで、保冷庫内部の蓄冷体に冷熱を蓄えることで庫内の温度を低温に保つことができるようになる。
【０００３】
一般に、給電装置のコンセントに保冷庫が接続されると、その保冷庫は給電装置から無条件に給電される。また、保冷庫内部の蓄冷体に冷熱を蓄えたり、保冷庫内を所定の温度に保つためには、保冷庫内の冷却装置、ファン、ヒーター等を動作させる必要があり、保冷庫に必要な電力量が増加する。このため、多くの保冷庫が給電装置のコンセントに接続されると、給電装置が保冷庫に給電を行うために必要な電力量が大きくなり、一時的に所定の電力量を超える電力ピークが発生したり、ブレーカーが作動することで保冷庫への給電が停止してしまうことがある。
【０００４】
特許文献１には、複数の被給電対象に流れる総電流がブレーカーの定格容量に応じた上限値よりも大きい場合、優先順位の低い被給電対象への給電を制限し、総電流が上限値よりも小さい場合、優先順位の高い方から順に給電の制限を解除し、被給電対象に給電を行う制御装置が開示されている。
【先行技術文献】
【特許文献】
【０００５】
【特許文献１】特許第３２０４１９３号公報
【発明の概要】
【発明が解決しようとする課題】
【０００６】
しかしながら、上述した特許文献１の従来技術では、総電流（総電力量）が上限値付近で変動することで、給電が行われたり行われなかったりする保冷庫がでる可能性がある。このようなことが繰り返されることは、保冷庫が備える冷却装置（圧縮器）が動いては停止することを繰り返すことになり、安全性や性能の面で望ましいことではない。
【０００７】
このようなことから、電力ピークの発生やブレーカーの作動による給電の停止を防止しつつ、より安定的に保冷庫に給電することを可能とする技術の開発が望まれていた。
【０００８】
そこで本発明は、電力ピークの発生やブレーカーの作動による給電の停止を防止し、より安定的に保冷庫に給電することができる給電装置を提供することを目的とする。
【課題を解決するための手段】
【０００９】
本発明に係る給電装置は、物品を保冷しつつ収容し、前記物品の配送に用いられる複数の保冷庫に給電を行う給電装置であって、前記複数の保冷庫に給電を行う複数のコンセントに対する前記複数の保冷庫の電源プラグの挿入を検出する検出部と、前記複数の保冷庫の電源プラグのいずれかが前記複数のコンセントのいずれかに挿入されたことが検出され、該電源プラグが挿入されたコンセントを介して給電した際に、給電中となるコンセントの総数が所定のコンセント数以下となる場合に、前記電源プラグが挿入されたコンセントを介して給電を行い、前記給電中となるコンセントの数が前記所定のコンセント数以下とならない場合に、前記電源プラグが挿入されたコンセントを介した給電を行わない給電制御部と、を備える。
【発明の効果】
【００１０】
本発明によれば、電力ピークの発生やブレーカーの作動による給電の停止を防止し、より安定的に保冷庫に給電することができる給電装置を提供することができる。
【図面の簡単な説明】
【００１１】
【図１】図１は、本発明の第１実施形態に係る給電装置を備える保冷システムの構成を示すブロック図である。
【図２】図２は、本発明の第１実施形態に係る給電装置の外観を示す斜視図である。
【図３】図３は、本発明の第１実施形態に係る給電装置で管理されている給電リストを示す図である。
【図４】図４は、本発明の第１実施形態に係る給電装置で管理されている最大給電コンセント数リストを示す図である。
【図５】図５は、本発明の第１実施形態に係る給電装置で管理されている給電モードリストを示す図である。
【図６】図６は、本発明の第１実施形態に係る給電装置によって実行される動作を示すフローチャートである。
【図７】図７は、本発明の第１実施形態に係る給電装置によって実行される動作の中で給電制御に関する動作を示すフローチャートである。
【図８】図８は、本発明の第２実施形態に係る保冷システムの構成を示すブロック図である。
【発明を実施するための形態】
【００１２】
以下、実施の形態を図面を参照して説明する。
【００１３】
（第１実施形態）
図１は、本発明の第１実施形態に係る給電装置１０を備える保冷システム１の構成を示すブロック図である。図１における保冷システム１は、複数の保冷庫を管理する物流システムのある管理拠点の１つに構築されたシステムを例示したものである。
【００１４】
保冷システム１は、複数の保冷庫４２〜４６及び給電装置１０を備える。図１においては、複数の保冷庫４２〜４６のうち、２つの保冷庫４２、４６のみ図示している。なお、本発明において、保冷システム１が備える保冷庫の数はこれに限定されない。
【００１５】
保冷庫４２〜４６は、内部に蓄冷体を有し、蓄冷体の蓄えた冷熱によって庫内の温度を低温に保つことができる。そのため、保冷庫内に物品を収容することで該物品を保冷することができる。
【００１６】
保冷庫４２〜４６は、低温で配送すべき物品（要冷蔵物や要冷凍物等）を庫内に収容して配送するために用いられる。保冷庫４２〜４６は、管理拠点において物品を庫内に収容した後、例えばトラック等の輸送機器に搭載されて配送先へ輸送される。
【００１７】
保冷庫４２〜４６は、それぞれが保冷能力を有する。保冷能力とは、保冷庫が備える蓄冷体の蓄えた冷熱量（蓄冷量）に基づいて算出される能力であって、保冷庫が庫内を保冷することが可能な残り時間である蓄冷残時間で示される。
【００１８】
なお、保冷庫４２〜４６が有することができる最大の蓄冷残時間は、互いに同じとは限らない。以下の説明では、保冷庫４２は、最大で９時間分の保冷能力を有することができる保冷庫（９時間機）、保冷庫４６は、最大で１２時間分の保冷能力を有することができる保冷庫（１２時間機）であるとして説明する。
【００１９】
保冷庫４２〜４６は、計測部４２ａ〜４６a、庫内温度制御部４２ｂ〜４６ｂ、履歴保持部４２ｃ〜４６ｃ、識別情報保持部４２ｄ〜４６ｄ、通信部４２ｅ〜４６ｅ、入力部４２ｆ〜４６ｆ、及び電源プラグ４２ｇ〜４６ｇを有している。
【００２０】
計測部４２ａ〜４６ａは、保冷庫４２〜４６内の温度を計測する第１の温度センサ、及び保冷庫４２〜４６内の蓄冷体の温度を計測する第２の温度センサを含む。
【００２１】
第１の温度センサは、保冷庫４２〜４６内の所定の位置に設けられている。計測部４２ａ〜４６ａは、第１の温度センサによって計測された庫内温度を示す情報を庫内温度制御部４２ｂ〜４６ｂに出力する。
【００２２】
第２の温度センサは、保冷庫４２〜４６内の蓄冷体に取り付けられている。計測部４２ａ〜４６ａは、第２の温度センサで計測した蓄冷体の温度に基づいて、保冷庫４２〜４６の蓄冷残時間を算出する。計測部４２ａ〜４６ａは、算出した蓄冷残時間を履歴保持部４２ｃ〜４６ｃに送信する。
【００２３】
庫内温度制御部４２ｂ〜４６ｂは、庫内温度及び温度帯を保冷庫４２〜４６の図示せぬ状態表示部に表示する。ここで、温度帯とは、例えば、冷蔵／冷凍／チルドなどがあり、保冷庫４２〜４６に予め設定された、もしくは、ユーザーによって設定された保冷庫４２〜４６内を保冷する温度帯である。
【００２４】
履歴保持部４２ｃ〜４６ｃは、保冷庫４２〜４６の履歴情報を記憶している。履歴情報には、保冷庫４２〜４６の蓄冷残時間、保冷庫４２〜４６の必要保冷時間、及び冷蔵／冷凍／チルドの情報などの情報が含まれる。
【００２５】
必要保冷時間は、保冷庫４２〜４６が保冷する必要がある時間である。必要保冷時間は、ユーザーによって指定される。冷蔵／冷凍／チルドの情報は、保冷庫４２〜４６が冷蔵用として使用されるか、冷凍用として使用されるか、又はチルドとして使用されるかを示す情報である。保冷庫４２〜４６が冷蔵用として使用されるか、冷凍用として使用されるか、またはチルドとして使用されるかは、予め保冷庫４２〜４６に設定されているもの、もしくはユーザーによって指定されるものである。以下、保冷庫の用途（冷蔵／冷凍／チルド）は、ユーザーによって設定されることを例に説明する。
【００２６】
履歴保持部４２ｃ〜４６ｃは、計測部４２ａ〜４６ａから定期的に送られてくる蓄冷残時間を時刻情報と対応付けて順次蓄積する。また、履歴保持部４２ｃ〜４６ｃは、ユーザーによって指定された必要保冷時間及び冷蔵／冷凍／チルドの情報を蓄積している。また、履歴保持部４２ｃ〜４６ｃは、蓄冷残時間、必要保冷時間及び冷蔵／冷凍／チルドの情報を給電装置１０に送信する。履歴保持部４２ｃ〜４６ｃは、メモリやハードディスクなどの記憶媒体により構成される。
【００２７】
なお、計測部４２ａ〜４６ａは、蓄冷残時間だけでなく、蓄冷残時間を算出する過程で得られたすべてのデータ（計測データ、その他の算出データ）も含めて履歴保持部４２ｃ〜４６ｃに送信してもよい。さらに、履歴保持部４２ｃ〜４６ｃは、該すべてのデータも蓄積することにしてもよい。
【００２８】
識別情報保持部４２ｄ〜４６ｄは、保冷庫４２〜４６に予め付与された保冷庫識別情報を保持する。保冷庫識別情報は、保冷庫４２〜４６を他の保冷庫と識別するための固有の情報である。そして、識別情報保持部４２ｄ〜４６ｄは、保冷庫識別情報を給電装置１０に送信する。識別情報保持部４２ｄ〜４６ｄは、メモリやハードディスクなどの記憶媒体により構成される。
【００２９】
通信部４２ｅ〜４６ｅは、給電装置１０と通信を行う。具体的には、通信部４２ｅ〜４６ｅは、上述した履歴情報や保冷庫識別情報を給電装置１０に送信する。通信部４２ｅ〜４６ｅが行う通信の形態については特に限定されず、無線通信であってもよいし、有線通信であってもよい。
【００３０】
入力部４２ｆ〜４６ｆは、例えばタッチパネルであり、ユーザーは入力部４２ｆ〜４６ｆを操作することで保冷庫４２〜４６の必要保冷時間、及び用途（冷蔵／冷凍／チルド）を設定する。例えば、ユーザーが８時間保冷できる冷蔵用の保冷庫を求めている場合、ユーザーは、入力部４２ｆ〜４６ｆを操作して必要保冷時間を８時間、用途（冷蔵／冷凍／チルド）を冷蔵と設定する。
【００３１】
電源プラグ４２ｇ〜４６ｇは、電源ケーブルで保冷庫４２〜４６に接続されている。保冷庫４２〜４６は、電源プラグ４２ｇ〜４６ｇを介して給電装置１０に接続される。
【００３２】
給電装置１０は、保冷庫４２〜４６の予冷のための給電を行う装置である。なお、予冷とは、ユーザーが保冷庫４２〜４６を使用する前に、保冷庫４２〜４６の庫内を冷却し、蓄冷体に冷熱を蓄えることを意味する。
【００３３】
保冷庫４２〜４６が給電装置１０に接続されると、各保冷庫４２〜４６内の図示せぬ冷却装置によって各保冷庫４２〜４６の蓄冷体が冷却され、冷熱が蓄えられる。冷却装置は、例えば蒸発器、圧縮器、凝縮器、膨張弁等によって構成されており、熱交換によって蓄冷体に冷熱を蓄える。
【００３４】
以下、給電装置１０の構成について、図１から図５を参照して説明する。図２は、本発明の第１実施形態に係る給電装置１０の外観を示す斜視図である。図３は、本発明の第１実施形態に係る給電装置１０で管理されている給電リストを示す図である。図４は、本発明の第１実施形態に係る給電装置１０で管理されている最大給電コンセント数リストを示す図である。図５は、本発明の第１実施形態に係る給電装置１０で管理されている給電モードリストを示す図である。
【００３５】
給電装置１０は、複数のコンセント１３１〜１３６、記憶部１４０、状態表示部１５０、及び制御部１６０を備える。図１では、複数のコンセント１３１〜１３６のうち、３つのコンセント１３１、１３２、１３６のみ図示している。なお、給電装置１０が備えるコンセントの数はこれに限定されない。
【００３６】
給電装置１０は、コンセント１３１〜１３６及びそれに挿入された電源プラグ４２ｇ〜４６ｇを通じて保冷庫４２〜４６に給電を行う。例えば、保冷庫４２の電源プラグ４２ｇがコンセント１３２に挿入された場合、給電装置１０は、コンセント１３２及び電源プラグ４２ｇを通じて保冷庫４２に給電を行う。
【００３７】
なお、本願明細書において、保冷庫４２〜４６に給電を行うことと、保冷庫４２〜４６の電源プラグ４２ｇ〜４６ｇが挿入されたコンセントに給電を行うこととは同じ意味で使用される。
【００３８】
図１に示すように、コンセント１３１〜１３６は、挿抜検出部１３１ａ〜１３６ａ、及び通信部１３１ｂ〜１３６ｂを有している。挿抜検出部１３１ａ〜１３６ａは、コンセント１３１〜１３６に対する保冷庫４２〜４６の電源プラグ４２ｇ〜４６ｇの挿入／抜去を検出する。
【００３９】
通信部１３１ｂ〜１３６ｂは、コンセント１３１〜１３６に挿入された電源プラグ４２ｇ〜４６ｇを有する保冷庫４２〜４６との通信を担う。具体的に説明すると、通信部１３１ｂ〜１３６ｂは、電源プラグ４２ｇ〜４６ｇがコンセント１３１〜１３６に挿入された際に、保冷庫４２〜４６から保冷庫４２〜４６の情報を取得する。保冷庫４２〜４６の情報には、保冷庫識別情報、及び履歴情報が含まれる。
【００４０】
図２では、コンセント１３２〜１３６にそれぞれ、保冷庫４２〜４６の電源プラグ４２ｇ〜４６ｇが挿入されている。
【００４１】
記憶部１４０には、給電装置１０の制御プログラムを格納したＲＯＭ（Ｒｅａｄ  Ｏｎｌｙ  Ｍｅｍｏｒｙ）、作業用メモリとして用いられるＲＡＭ（Ｒａｎｄｏｍ  Ａｃｃｅｓｓ  Ｍｅｍｏｒｙ）等の記憶デバイスが含まれる。
【００４２】
記憶部１４０は、図３に示すように、電源プラグ４２ｇ〜４６ｇを有する保冷庫４２〜４６の情報と、電源プラグ４２ｇ〜４６ｇの挿入が検出されたコンセント１３１〜１３６の情報とが対応づけられた対応情報を給電リストとして記憶している。
【００４３】
また、記憶部１４０は、図４に示されている最大給電コンセント数リスト、及び図５に示されている給電モードリスト等を記憶している。
【００４４】
給電リストには、コンセント１３１〜１３６に挿入された電源プラグ４２ｇ〜４６ｇを有する保冷庫４２〜４６に関する情報がコンセント識別情報と関連付けられて登録されている。
【００４５】
コンセント識別情報は、給電装置１０が備えるコンセント１３１〜１３６に予め付与された他のコンセントと識別するための固有の情報である。図３に示すように、コンセント１３１〜１３６には、それぞれ識別情報としてそれぞれ１〜６が付与されている。
【００４６】
保冷庫４２〜４６に関する情報には、保冷庫識別情報、冷蔵／冷凍／チルドの情報、蓄冷残時間、必要保冷時間、給電状態、及び接続順位が含まれている。
【００４７】
保冷庫識別情報、冷蔵／冷凍／チルドの情報、蓄冷残時間、及び必要保冷時間は、保冷庫４２〜４６から取得された情報である。
【００４８】
図３に示すように、保冷庫４２〜４６には、保冷庫識別情報としてそれぞれｂ〜ｆが付与されている。給電状態とは、コンセント１３１〜１３６に挿入された電源プラグ４２ｇ〜４６ｇを有する保冷庫４２〜４６の状態を示しており、「給電待ち」、「給電中」、及び「給電完了」の各状態がある。なお、本願明細書において、保冷庫の給電状態と、コンセントの給電状態とは同じ意味で使用されている。
【００４９】
「給電待ち」状態とは、対象の保冷庫４２〜４６の電源プラグ４２ｇ〜４６ｇはコンセント１３１〜１３６に挿入されたものの、保冷庫４２〜４６が給電を受けていない状態を意味する。
【００５０】
「給電中」状態とは、対象の保冷庫４２〜４６の蓄冷残時間が必要保冷時間に達しておらず、保冷庫４２〜４６が給電を受けている状態を意味する。
【００５１】
「給電完了」状態とは、対象の保冷庫４２〜４６に必要な分の給電が完了した状態を意味する。言い換えると、対象の保冷庫４２〜４６の蓄冷残時間が必要保冷時間に達している状態を意味する。
【００５２】
接続順位とは、電源プラグ４２ｇ〜４６ｇが挿入されているコンセント１３１〜１３６の中で、電源プラグ４２ｇ〜４６ｇの挿入が検出された時刻が早いほうから付与された順位を示す。
【００５３】
例えば、図３には、保冷庫識別情報が「ｆ」である保冷庫４６は、コンセント１３１〜１３６に挿入された電源プラグ４２ｇ〜４６ｇを有する保冷庫４２〜４６の中で最も早くコンセント１３１〜１３６に挿入された電源プラグ４２ｇ〜４６ｇを有する保冷庫４２〜４６であることが示されている。
【００５４】
図４に示す最大給電コンセント数リストには、時期及び時間帯毎に最大給電コンセント数が登録されている。最大給電コンセント数とは、給電装置１０が同時に給電可能な最大のコンセント１３１〜１３６の数である。なお、最大給電コンセントリストは、必ずしも最大給電コンセント数が時期及び時間帯の両方に対応付けてられて登録されていなくてもよく、時期のみに対応付けられて登録されていてもよい。また、最大給電コンセントリストは、最大給電コンセント数が時間帯のみに対応付けられて登録されていてもよい。
【００５５】
最大給電コンセント数は、保冷庫４２〜４６に同時に給電を行ってもブレーカーが遮断せず、且つ、電力ピークが発生しない最大のコンセント数を示す値である。また、最大給電コンセント数は、保冷庫４２〜４６１台当たりの電力使用量と、給電装置１０が設けられている管理拠点におけるブレーカー容量、及び電力ピーク等を考慮して算出される。
【００５６】
給電装置１０で消費できる電力量は、給電装置１０が設けられている管理拠点での給電装置１０以外の機器の消費電力量によって変化する。このため、最大給電コンセント数は、時期や時間帯によって変化する。
【００５７】
そのため、時期及び時間帯毎に最大給電コンセント数を算出しておき、算出した最大給電コンセント数を時期及び時間帯と対応付けて、最大給電コンセント数リストとして記憶部１４０に記憶しておくことが望ましい。
【００５８】
例えば、７−９月（夏期）は、給電装置１０が設けられている管理拠点において他の機器（エアコン等）の電力使用量が増えるため、最大給電コンセント数は他の時期に比べて小さい値に設定されている。
【００５９】
また、管理拠点において、昼の時間帯に作動している機器が多いため、給電装置１０以外の機器の消費電力量が多く、夜の時間帯に作動している機器が少ないため、給電装置１０以外の機器の消費電力量が少ない傾向があるとする。
【００６０】
その場合、昼の時間帯の最大給電コンセント数が他の時間帯に比べて小さい値に設定され、夜の時間帯の最大給電コンセント数が他の時間帯に比べて大きい値に設定される。
【００６１】
また、給電モードリストには、時間帯毎に給電モードの情報が登録されている。給電モードには、モード１、モード２、及びモード３がある。
【００６２】
モード１は、給電装置１０が給電リストに保冷庫識別情報及び履歴情報が先に登録された保冷庫４２〜４６から順に給電を行うための給電モードである。モード２は、給電装置１０が蓄冷残時間と必要保冷時間との差が小さい保冷庫４２〜４６から順に給電を行うための給電モードである。モード３は、蓄冷残時間と必要保冷時間との差が大きい保冷庫４２〜４６から順に給電を行うための給電モードである。
【００６３】
なお、最大給電コンセント数リスト、及び給電モードリストにおける「朝」、「昼」、「夕方」、「夜」の各時間帯は、例えば「４：００〜１０：００」、「１０：００〜１６：００」、「１６：００〜２０：００」、「２０：００〜４：００」等と設定されている。
【００６４】
状態表示部１５０は、コンセント１３１〜１３６に対する給電状況をコンセント毎に表示する。
【００６５】
図２に示されているように、状態表示部１５０は、コンセント１３１〜１３６に対応した給電待ちランプ１０１〜１０６を有する。また、状態表示部１５０は、コンセント１３１〜１３６に対応した給電中ランプ１１１〜１１６を有する。さらに、状態表示部１５０は、コンセント１３１〜１３６に対応した給電完了ランプ１２１〜１２６を有する。
【００６６】
制御部１６０は、ＣＰＵ（Ｃｅｎｔｒａｌ  Ｐｒｏｃｅｓｓｉｎｇ  Ｕｎｉｔ）などの制御装置であり。制御部１６０は、ＲＯＭに記憶されている給電装置１０の制御プログラムを読みだして、ＲＡＭに展開し、展開したプログラムを実行することで、情報取得部１６１、情報管理部１６２、給電制御部１６３、及び表示制御部１６４として機能する。
【００６７】
情報取得部１６１は、複数のコンセント１３１〜１３６の通信部１３１ｂ〜１３６ｂが取得した保冷庫４２〜４６の情報を取得する。
【００６８】
情報管理部１６２は、給電リストを管理しており、情報取得部１６１が取得した保冷庫４２〜４６の情報を給電リストに登録する。
【００６９】
給電制御部１６３は、給電リスト、最大給電コンセント数リスト、及び給電モードリストに基づいてコンセント１３１〜１３６に対する給電制御を行う。給電制御については、後に詳細に説明する。
【００７０】
表示制御部１６４は、各コンセント１３１〜１３６の給電状況に基づいて状態表示部１５０の表示を制御する。具体的には、表示制御部１６４は、状態表示部１５０に含まれる各ランプの点灯及び消灯を制御する。
【００７１】
次に、給電装置１０の動作について図３、図４、図５及び図６を参照して説明する。図６は、本発明の第１実施形態に係る給電装置１０によって実行される動作を示すフローチャートである。
【００７２】
情報管理部１６２は、各コンセント１３１〜１３６に対する電源プラグ４２ｇ〜４６ｇの挿抜状態をチェックし（ステップＳ１１）、コンセント１３１〜１３６の中に、新たに保冷庫４２〜４６の電源プラグ４２ｇ〜４６ｇが挿入されたコンセント１３１〜１３６があるか否かを判定する（ステップＳ１２）。
【００７３】
具体的には、挿抜検出部１３１ａ〜１３６ａは、それぞれ電源プラグ４２ｇ〜４６ｇがコンセント１３１〜１３６に挿入されたことを検出した場合、挿入検出信号を情報管理部１６２に送信する。
【００７４】
挿入検出信号には、挿抜検出部１３１ａ〜１３６ａを有するコンセント１３１〜１３６のコンセント識別情報が含まれる。情報管理部１６２は、挿入検出信号の有無に基づいて新たに保冷庫４２〜４６の電源プラグ４２ｇ〜４６ｇが挿入されたコンセント１３１〜１３６の有無を判定する。
【００７５】
新たに保冷庫４２〜４６の電源プラグ４２ｇ〜４６ｇが挿入されたコンセント１３１〜１３６がない場合（ステップＳ１２のＮＯ）、ステップＳ１６の処理に移る。
【００７６】
新たに保冷庫４２〜４６の電源プラグ４２ｇ〜４６ｇが挿入されたコンセント１３１〜１３６があった場合（ステップＳ１２のＹＥＳ）、表示制御部１６４は、該コンセント１３１〜１３６に対応する給電待ちランプを点灯させる（ステップＳ１３）。
【００７７】
ここで、表示制御部１６４は、挿入検出信号及び給電リストに基づいて、新たに保冷庫４２〜４６の電源プラグ４２ｇ〜４６ｇが挿入されたコンセント１３１〜１３６を特定する。そして、表示制御部１６４は、特定したコンセント１３１〜１３６に対応する給電待ちランプを点灯させる。
【００７８】
続いて、情報取得部１６１は、挿入が検出された電源プラグ４２ｇ〜４６ｇを有する保冷庫４２〜４６の情報（保冷庫識別情報及び履歴情報）を取得する（ステップＳ１４）。
【００７９】
保冷庫４２〜４６の情報は、電源プラグ４２ｇ〜４６ｇがコンセント１３１〜１３６に挿入された際に通信部１３１ｂ〜１３６ｂにより保冷庫４２〜４６から取得されており、情報取得部１６１は、通信部１３１ｂ〜１３６ｂから保冷庫４２〜４６の情報を取得する。
【００８０】
そして、情報管理部１６２は、情報取得部１６１が取得した保冷庫４２〜４６の情報を給電リストに追加登録する（ステップＳ１５）。
【００８１】
このとき、情報管理部１６２は、挿抜検出部１３１ａ〜１３６ａからの挿入検出信号に含まれるコンセント識別情報と保冷庫４２〜４６の情報とその他の情報とを対応付けて、その対応付けられた情報を給電リストに追加登録する。
【００８２】
その他の情報には、コンセント１３１〜１３６の給電状態、及び電源プラグ４２ｇ〜４６ｇが挿入されているコンセント１３１〜１３６の中で該電源プラグ４２ｇ〜４６ｇの挿入が検出された順位である接続順位が含まれる。
【００８３】
例えば、情報管理部１６２は、保冷庫４２の電源プラグ４２ｇが新たにコンセント１３２に挿入された場合、コンセント識別情報「２」、保冷庫識別情報「ｂ」、「冷蔵」を示す情報、蓄冷残時間「４」（時間）、必要保冷時間「８」（時間）、コンセント１３２の給電状態を示す情報「給電中」、接続順位「５」（位）を給電リストに追加登録する。
【００８４】
次に、情報管理部１６２は、コンセント１３１〜１３６の中に、電源プラグ４２ｇ〜４６ｇが抜去されたコンセント１３１〜１３６があるか否かを判定する（ステップＳ１６）。
【００８５】
具体的には、挿抜検出部１３１ａ〜１３６ａは、電源プラグ４２ｇ〜４６ｇがコンセント１３１〜１３６から抜去されたことを検出した場合、抜去検出信号を情報管理部１６２に送信する。
【００８６】
抜去検出信号には、抜去を検出した挿抜検出部１３１ａ〜１３６ａを有するコンセント１３１〜１３６のコンセント識別情報が含まれる。情報管理部１６２は、抜去検出信号の有無に基づいて新たに電源プラグ４２ｇ〜４６ｇが抜去されたコンセント１３１〜１３６の有無を判定する。
【００８７】
新たに電源プラグ４２ｇ〜４６ｇが抜去されたコンセント１３１〜１３６がない場合（ステップＳ１６のＮＯ）、ステップＳ１８の処理に移る。
【００８８】
新たに電源プラグ４２ｇ〜４６ｇが抜去されたコンセント１３１〜１３６がある場合（ステップＳ１６のＹＥＳ）、情報管理部１６２は、抜去された電源プラグ４２ｇ〜４６ｇを有する保冷庫４２〜４６の登録情報を給電リストから削除する（ステップＳ１７）。
【００８９】
続いて、情報管理部１６２は、すべてのコンセント１３１〜１３６から電源プラグ４２ｇ〜４６ｇが抜去されたか否かを判定する（ステップＳ１８）。このとき、情報管理部１６２は、コンセント１３１〜１３６からの抜去検出信号の有無に基づいて判定する。
【００９０】
コンセント１３１〜１３６の中の少なくとも一つに電源プラグ４２ｇ〜４６ｇが挿入されていると判定された場合（ステップＳ１８のＮＯ）、情報取得部１６１は、コンセント１３１〜１３６に挿入されている電源プラグ４２ｇ〜４６ｇを有するすべての保冷庫４２〜４６からそれぞれの保冷庫４２〜４６の履歴情報を取得する（ステップＳ１９）。
【００９１】
実際には、電源プラグ４２ｇ〜４６ｇが挿入されているコンセント１３１〜１３６の通信部１３１ｂ〜１３６ｂが該電源プラグ４２ｇ〜４６ｇを有する保冷庫４２〜４６から履歴情報を取得しており、情報取得部１６１は、電源プラグ４２ｇ〜４６ｇが挿入されているコンセント１３１〜１３６の通信部１３１ｂ〜１３６ｂから履歴情報を取得している。
【００９２】
なお、ステップＳ１９において、情報取得部１６１は、給電中ではない保冷庫４２〜４６からは履歴データを取得しなくてもよい。
【００９３】
なお、保冷庫４２〜４６は給電を受けることで蓄冷残時間が増えていく。また、コンセント１３１〜１３６に電源プラグ４２ｇ〜４６ｇが挿入されているものの、給電を受けていない保冷庫４２〜４６の蓄冷残時間は次第に減少していく。
【００９４】
ステップＳ１９は、情報管理部１６２が逐一、コンセント１３１〜１３６に挿入された電源プラグ４２ｇ〜４６ｇを有する保冷庫４２〜４６の現在の蓄冷残時間を把握するための処理である。
【００９５】
続いて、情報管理部１６２は、ステップＳ１９で情報取得部１６１によって取得された履歴情報を給電リストに登録し、給電リストの情報を更新する（ステップＳ２０）。このとき、給電リストに登録されている情報の中の蓄冷残時間が更新される。
【００９６】
図３を用いて説明すると、給電中状態にある保冷庫識別情報が「ｃ」、「ｄ」である保冷庫の蓄冷残時間「５」、「６」が、例えば、「６」、「７」に更新される。
【００９７】
また、給電待ち状態にある保冷庫識別情報が「ｂ」、「ｅ」である保冷庫、及び、給電完了状態にある保冷庫識別情報が「ｆ」である保冷庫の蓄冷残時間が減少した場合、それぞれの蓄冷残時間「４」、「６」、「１１」が、例えば、「３」、「５」、「１０」に更新される。
【００９８】
さらに、給電リストの給電状態が更新されることもある。もし、ステップＳ１９で情報取得部１６１が取得した保冷庫識別情報が「ｆ」である保冷庫の蓄冷残時間が必要保冷時間と同じである場合、情報管理部１６２は、給電リストの保冷庫識別情報が「ｆ」である保冷庫４６の給電状態が、給電中から給電完了に更新される。
【００９９】
次に、給電制御部１６３は、現在時刻及び給電モードリストを参照して、給電モードの切替が必要か否かを判定する（ステップＳ２１）。
【０１００】
ここで、給電制御部１６３は、給電装置１０に内蔵されている図示せぬ時計から現在時刻の情報を取得し、現在時刻が該当する時間帯に対応する給電モードを検索する。そして、給電制御部１６３は、検索結果の給電モードと現在の給電モードとを比較する。
【０１０１】
給電制御部１６３は、現在の給電モードが、検索結果の給電モードと異なっている場合、給電モードの切替が必要であると判定し、現在の給電モードが、検索結果の給電モードと同じ場合、給電モードの切替は不要であると判定する。
【０１０２】
給電モードの切替が不要である場合（ステップＳ２１のＮＯ）、給電制御部１６３は、現在の給電モードでコンセント１３１〜１３６への給電制御を行う（ステップＳ２３）。
【０１０３】
給電モードの切替が必要である場合（ステップＳ２１のＹＥＳ）、給電制御部１６３は、給電モードを切り替える（ステップＳ２２）。そして、給電制御部１６３は、切り替え後の給電モードでコンセント１３１〜１３６への給電制御を行う（ステップＳ２３）。その後、ステップＳ１１の処理に移る。
【０１０４】
給電装置１０が備えるすべてのコンセント１３１〜１３６から電源プラグ４２ｇ〜４６ｇが抜去されたと判定された場合（ステップＳ１８のＹＥＳ）、制御部１６０は、処理終了の指示の有無を判定する（ステップＳ２４）。処理終了の指示とは、例えば、給電装置１０の電源をオフするための入力指示である。
【０１０５】
処理終了の指示があった場合（ステップＳ２４のＹＥＳ）、図６に示す給電装置１０の動作が終了する。処理終了の指示がない場合（ステップＳ２４のＮＯ）、ステップＳ１１の処理に移る。
【０１０６】
次に、給電装置１０の給電制御について図３、図５及び図７を参照して説明する。図７は、本発明の第１実施形態に係る給電装置１０によって実行される動作の中で給電制御に関する動作を示すフローチャートである。具体的には、図７のフローチャートは、図６のステップＳ２３の動作を詳細に示したものである。
【０１０７】
情報管理部１６２は、給電リストを参照して、給電待ちのコンセント１３１〜１３６があるか否かを判定する（ステップＳ３１）。
【０１０８】
給電待ちのコンセント１３１〜１３６がある場合（ステップＳ３１のＹＥＳ）、情報管理部１６２は、給電リストを参照して、給電完了のコンセント１３１〜１３６があるか否かを判定する（ステップＳ３２）。給電完了のコンセント１３１〜１３６がない場合（ステップＳ３２のＮＯ）、ステップＳ３５の処理に移る。
【０１０９】
給電完了のコンセント１３１〜１３６がある場合（ステップＳ３２のＹＥＳ）、給電制御部１６３は、給電完了のコンセント１３１〜１３６への給電を停止する（ステップＳ３３）。
【０１１０】
例えば、図３の例では、情報管理部１６２は、給電完了のコンセントとしてコンセント識別情報が「６」であるコンセントを検出する。そして、給電制御部１６３は、コンセント識別情報が「６」であるコンセントへの給電を停止する。
【０１１１】
次に、表示制御部１６４は、給電完了のコンセント１３１〜１３６に対応する給電中ランプ１１１〜１１６を消灯して給電完了ランプ１２１〜１２６を点灯させ、情報管理部１６２は給電リストを更新する（ステップＳ３４）。
【０１１２】
例えば、図２において、コンセント１３６への給電が停止したとき、表示制御部１６４は、給電中ランプ１１６を消灯し、給電完了ランプ１２６を点灯させる。また、情報管理部１６２は、給電リストに登録されている情報の中のコンセント１３６の給電状態の情報を給電中から給電完了に更新する。その後、ステップＳ３５に移る。
【０１１３】
ステップＳ３５では、給電制御部１６３は、優先順位に基づいて給電対象の保冷庫４２〜４６を決定する。ここで、優先順位は、現在の給電モードに応じて決定される。
【０１１４】
例えば、図３に示されているように、保冷庫識別情報が「ｂ」、「ｅ」である保冷庫が給電待ち状態にある場合、給電制御部１６３は、保冷庫識別情報が「ｂ」、「ｅ」である保冷庫に対して優先順位を決める。
【０１１５】
現在の給電モードがモード１である場合、給電制御部１６３は、給電リストの接続順位を参照し、接続順位が高い保冷庫識別情報が「ｅ」である保冷庫（接続順位４位）を優先順位１位、保冷庫識別情報が「ｂ」である保冷庫（接続順位５）を優先順位２位に決定する。
【０１１６】
現在の給電モードがモード２である場合、給電制御部１６３は、給電リストを参照し、蓄冷残時間と必要保冷時間との差がより小さい保冷庫識別情報が「ｂ」である保冷庫（差は「４」）を優先順位１位、保冷庫識別情報が「ｅ」である保冷庫（差は「５」）を優先順位２位に決定する。
【０１１７】
このように、優先順位を決めることで、管理拠点において短時間で使用可能な保冷庫４２〜４６の数を増やしやすくすることができる。
【０１１８】
現在の給電モードがモード３である場合、給電制御部１６３は、給電リストの接続順位を参照し、蓄冷残時間と必要保冷時間との差がより大きい保冷庫識別情報が「ｅ」である保冷庫（差は「５」）を優先順位１位、保冷庫識別情報が「ｂ」である保冷庫（差は「４」）を優先順位２位に決定する。
【０１１９】
このように、優先順位を決めることで、管理拠点において、使用可能な保冷庫４２〜４６がすぐには必要とならない時間帯において、使用可能になるまでに時間がかかる保冷庫４２〜４６に優先的に給電することができる。よって、使用可能になるまでに時間がかかる保冷庫４２〜４６を使用可能な状態にしやすくすることができる。
【０１２０】
また、給電制御部１６３は、現在の給電モードに応じて保冷庫４２〜４６の優先順位を決定した後、給電待ちのコンセント１３１〜１３６の中で優先順位が最も高いコンセント１３１〜１３６を最優先コンセントに決定する。
【０１２１】
次に、給電制御部１６３は、現在給電中のコンセントの総数が、最大給電コンセント数よりも小さいか否かを判定する（ステップＳ３６）。
【０１２２】
言い換えると、給電対象のコンセント１３１〜１３６を介して保冷庫４２〜４６を給電した際に、給電中となるコンセント１３１〜１３６の総数が最大給電コンセント数以下となるか否かを判定する。ステップＳ３６は、同時に給電するコンセント数が最大給電コンセント数を超えないようにするための判定処理である。
【０１２３】
ここで、給電制御部１６３は、給電装置１０内の図示せぬ時計から現在の日付及び現在時刻の情報を取得し、取得した情報に基づいて最大給電コンセント数リストを参照し、最大給電コンセント数の情報を取得する。
【０１２４】
また、給電制御部１６３は、給電リストを参照して、現在給電中のコンセント数をカウントする。そして、給電制御部１６３は、現在給電中のコンセント数と、取得した最大給電コンセント数の値とを比較する。
【０１２５】
給電中のコンセント数が最大給電コンセント数以上となる場合（ステップＳ３６のＮＯ）、給電制御部１６３は、最優先コンセントを介した保冷庫４２〜４６の給電を行わない。また、給電制御部１６３は、最大給電コンセント数を超える分の給電中コンセントへの給電を停止する（ステップＳ４０）。このとき、給電制御部１６３は、最大給電コンセント数を超える分の給電中コンセントを検出し、検出されたコンセントに対して給電を停止する。
【０１２６】
例えば、時刻が７月１０日の朝の時間帯から昼の時間帯になった場合、最大給電コンセント数は「４」から「３」に減少する。そして、給電中のコンセント数が「４」であった場合、給電中のコンセントの中の１つに対して給電を停止する。
【０１２７】
このとき、給電制御部１６３は、蓄冷残時間が必要保冷時間に達している保冷庫４２〜４６がある場合は、その保冷庫４２〜４６の電源プラグ４２ｇ〜４６ｇが接続するコンセント１３１〜１３６を優先的に給電停止対象のコンセントとして決定する。そのようなコンセント以外にも給電を停止するコンセントを選択する必要がある場合には、給電制御部１６３は、給電モードにしたがって、給電停止対象のコンセントを決定する。
【０１２８】
具体的には、給電制御部１６３は、現在の給電モードを確認する。例えば、給電モードがモード１である場合、給電制御部１６３は、給電リストに保冷庫識別情報及び履歴情報が登録されたタイミングが遅い保冷庫４２〜４６の電源プラグ４２ｇ〜４６ｇが接続するコンセント１３１〜１３６から順に給電停止対象のコンセントとして決定していく。
【０１２９】
給電モードがモード２である場合、給電制御部１６３は、蓄冷残時間と必要保冷時間との差が大きい保冷庫４２〜４６の電源プラグ４２ｇ〜４６ｇが挿入されているコンセント１３１〜１３６から順に給電停止対象のコンセントとして決定していく。
【０１３０】
給電モードがモード３である場合、給電制御部１６３は、蓄冷残時間と必要保冷時間との差が小さい保冷庫４２〜４６の電源プラグ４２ｇ〜４６ｇが挿入されているコンセント１３１〜１３６から順に給電停止対象のコンセントとして決定していく。
【０１３１】
給電制御部１６３が、最大給電コンセント数を超える分の給電中コンセントへの給電を停止すると給電制御処理が終了する。このとき、表示制御部１６４が、給電を停止したコンセント１３１〜１３６に対応する給電中ランプ１１１〜１１６を消灯して給電待ちランプ１０１〜１０６を点灯させ、情報管理部１６２が給電リストを更新してから、給電制御処理が終了する。
【０１３２】
なお、ステップＳ４０において、給電中のコンセント数と最大給電コンセント数が等しければ、給電停止対象のコンセントはないため、給電制御部１６３は、給電の停止を行わない。
【０１３３】
給電中となるコンセント数が最大給電コンセント数よりも小さい場合（ステップＳ３６のＹＥＳ）、給電制御部１６３は、最優先コンセントを介した保冷庫４２〜４６の給電を開始する（ステップＳ３７）。
【０１３４】
例えば、図５において、時期が７〜９月（夏期）、時間帯が昼である場合、給電装置１０の給電モードはモード２となる。また、図３において、給電中のコンセントはコンセント識別情報が「３」、「４」であるコンセントとなる。
【０１３５】
この場合、図４より、最大給電コンセント数は「３」であるので、給電中のコンセント数（「２」）は、最大給電コンセント数（「３」）よりも小さくなる。したがって、給電制御部１６３は、最優先コンセントを介して保冷庫４２〜４６に給電を開始する。
【０１３６】
その後、表示制御部１６４は、給電を開始したコンセント１３１〜１３６に対応する給電待ちランプ１０１〜１０６を消灯して給電中ランプ１１１〜１１６を点灯させ、さらに情報管理部１６２は、給電リストを更新する（ステップＳ３８）。このとき、給電リストに登録されている情報の中の給電状態の情報が更新される。このとき、情報管理部１６２は、給電を開始した保冷庫４２〜４６の給電状態を給電待ちから給電中に更新する。
【０１３７】
次に、給電制御部１６３は、給電リストを参照して給電待ちのコンセント１３１〜１３６があるか否かを判定する（ステップＳ３９）。給電待ちのコンセント１３１〜１３６がない場合（ステップＳ３９のＮＯ）、給電制御処理は終了する。
【０１３８】
給電待ちのコンセント１３１〜１３６がある場合（ステップＳ３９のＹＥＳ）、ステップＳ３５の処理に移る。
【０１３９】
例えば、図３の例において、コンセント識別情報が「２」であるコンセント１３１〜１３６には給電されて給電中の状態となったが、いまだに給電待ちの状態のコンセント識別情報が「５」であるコンセントがある場合、ステップＳ３５の処理に移る。
【０１４０】
この場合、給電制御部１６３は、優先順位が２位に決定されたコンセント識別情報が「５」であるコンセントを最優先コンセントに決定する（ステップＳ３５）。そして、給電制御部１６３は、現在給電中のコンセント数が最大給電コンセント数よりも小さいか否かを判定する（ステップＳ３６）。
【０１４１】
ここで、給電中のコンセントはコンセント識別情報が「２」、「３」、「４」である３つのコンセントであるので、給電中のコンセント数（「３」）は最大給電コンセント数（「３」）と同じである（ステップＳ３６のＮＯ）。このため、給電制御部１６３は、給電対象のコンセント（コンセント識別情報が「５」であるコンセント）を介した保冷庫の給電を行わない。
【０１４２】
また、給電中のコンセント数（「３」）は最大給電コンセント数（「３」）と同じであるので、最大給電コンセント数を超える分の給電中のコンセントはない。よって、ステップＳ４０において、給電が停止されるコンセントはなく、給電制御処理が終了する。
【０１４３】
なお、給電制御部１６３は、原則として、給電対象のコンセント１３１〜１３６を介して保冷庫４２〜４６に蓄冷残時間が必要保冷時間に達したら給電を停止する。
【０１４４】
これは、保冷庫４２〜４６が必要な保冷時間を有するようになった場合、給電待ちのコンセント１３１〜１３６を介して別の保冷庫４２〜４６の給電を行うことで、無駄な給電を行うことなく短時間で効率的よく、多くの保冷庫４２〜４６を給電できるようにするためである。
【０１４５】
しかし、保冷庫４２〜４６は給電を停止して放置しておくと、少しずつ蓄冷残時間が減少する。そのため、給電待ちのコンセント１３１〜１３６がない場合、給電が完了した保冷庫４２〜４６に対し給電を継続することにより、蓄冷残時間の減少を防止することができる。以下に説明するステップＳ４１〜Ｓ４５は、この状況を想定した処理である。
【０１４６】
給電待ちのコンセント１３１〜１３６がない場合（ステップＳ３１のＮＯ）、情報管理部１６２は、給電完了のコンセント１３１〜１３６があるか否かを判定する（ステップＳ４１）。給電完了のコンセント１３１〜１３６がない場合（ステップＳ４１のＮＯ）、給電制御部１６３は、最大給電コンセント数を超える分のコンセント１３１〜１３６への給電を停止する（ステップＳ４０）。その後、給電制御処理は終了する。
【０１４７】
給電完了のコンセント１３１〜１３６がある場合（ステップＳ４１のＹＥＳ）、表示制御部１６４は、給電中ランプ１１１〜１１６を消灯して給電完了ランプ１２１〜１２６を点灯させ、情報管理部１６２は給電リストを更新する（ステップＳ４２）。ステップＳ４２の詳細はステップＳ３４と同様である。
【０１４８】
その後、給電制御部１６３は、給電中のコンセント数が最大給電コンセント数以下であるか否かを判定する（ステップＳ４３）。ステップＳ４３は、給電完了のコンセントに対して給電を継続した場合、最大給電コンセント数を超えることになるか否かを判定するためのステップである。ここで、給電完了のコンセントに対して給電は停止されていないため、給電完了コンセントも給電中コンセントの数に含まれる。
【０１４９】
給電中のコンセント数が最大給電コンセント数よりも多い場合（ステップＳ４３のＮＯ）、給電制御部１６３は、給電完了のコンセント１３１〜１３６への給電を停止する（ステップＳ４４）。なお、給電中のコンセント数が最大給電コンセント数よりも多くなる場合としては、最大給電コンセント数が時間帯や時期によって変化したことが想定される。
【０１５０】
ここで、給電完了のコンセント１３１〜１３６が複数ある場合、給電制御部１６３は、必ずしもすべての給電完了のコンセント１３１〜１３６に対して、給電を停止しなくてもよい。
【０１５１】
例えば、給電完了のコンセントが２つあり、かつ、給電中のコンセント数が最大給電コンセント数より１つ多い場合、給電制御部１６３は、２つの給電完了のコンセント１３１〜１３６の一つに対して、給電を停止する。このときに給電制御部１６３が給電を停止するコンセント１３１〜１３６を決定するルールにはどんなルールが採用されてもよい。
【０１５２】
給電制御部１６３が、給電完了のコンセント１３１〜１３６への給電を停止すると、給電制御処理は終了する。
【０１５３】
給電中のコンセント数が最大給電コンセント数以下である場合（ステップＳ４３のＹＥＳ）、給電制御部１６３は、給電完了のコンセント１３１〜１３６の給電を停止することなく、給電を継続する（ステップＳ４５）。
【０１５４】
このように、給電中のコンセント１３１〜１３６を介して給電を受けていた保冷庫の蓄冷残時間が必要保冷時間に達したとしても、給電待ちのコンセント１３１〜１３６がなければ、引き続き給電していてもよい。
【０１５５】
給電待ちのコンセント１３１〜１３６がない場合に、必要な給電が完了した保冷庫４２〜４６に対して給電を継続することで、蓄冷残時間の減少を防止することができる。
【０１５６】
以上、説明したように、給電装置１０は、新たに電源プラグ４２ｇ〜４６ｇが挿入されたコンセント１３１〜１３６を介して給電した際に、給電中となるコンセント１３１〜１３６の総数が所定のコンセント数以下となる場合に、該電源プラグ４２ｇ〜４６ｇが挿入されたコンセント１３１〜１３６を介して給電を行う。
【０１５７】
他方、新たに電源プラグ４２ｇ〜４６ｇが挿入されたコンセント１３１〜１３６を介して給電した際に、給電中となるコンセント１３１〜１３６の数が所定のコンセント数以下とならない場合には、給電装置１０は、電源プラグ４２ｇ〜４６ｇが挿入されたコンセント１３１〜１３６を介した保冷庫４２〜４６の給電を行わない。
【０１５８】
これにより、給電装置１０は、電力ピークの発生を防止し、ブレーカーが作動による給電の停止を防止できる。このため、給電装置１０は、ブレーカーが作動することによる給電の停止によって、保冷庫４２〜４６への給電が妨げられなくなる。
【０１５９】
以上、まとめると、給電装置１０は、電力ピークの発生やブレーカーの作動による給電の停止を防止し、且つ効果的に保冷庫４２〜４６に給電することができる。
【０１６０】
また、給電装置１０は、電源プラグ４２ｇ〜４６ｇを有する保冷庫４２〜４６の情報と、該電源プラグ４２ｇ〜４６ｇの挿入が検出されたコンセント１３１〜１３６の情報とを対応付けた対応情報が登録されている給電リストを記憶している。したがって、保冷庫４２〜４６毎に適した給電を行うことができる。
【０１６１】
また、給電装置１０は、電源プラグ４２ｇ〜４６ｇがコンセント１３１〜１３６に挿入された際に、該電源プラグ４２ｇ〜４６ｇを有する保冷庫の情報を、該保冷庫から直接取得する。よって、保冷システム１は保冷庫４２〜４６の情報を管理するサーバ装置を別途備えずに済むため、保冷システム１が簡略化でき、保冷システム１の導入コストを低減できる。
【０１６２】
また、給電装置１０が取得する保冷庫４２〜４６の情報には、蓄冷残時間と、必要保冷時間とが含まれ、給電装置１０は、給電中の保冷庫４２〜４６の蓄冷残時間が必要保冷時間に達するまで行う。
【０１６３】
言い換えると、給電装置１０は、給電中の保冷庫４２〜４６の蓄冷残時間が必要保冷時間に達すると、該保冷庫４２〜４６に対する給電を停止する。これにより、短時間で多数の使用可能な保冷庫４２〜４６を供給することができる。
【０１６４】
また、給電装置１０は、給電モードリストを記憶しているため、時間帯に応じて給電モードを切り替えることができる。したがって、給電装置１０は、各時間帯に適した給電制御を行うことができる。
【０１６５】
また、給電装置１０は、最大給電コンセント数リストを記憶している。このため、時期及び時間帯によって変化する管理拠点の他の機器の電力使用量を考慮した最大給電コンセント数に基づいて、給電待ちのコンセント１３１〜１３６に給電を行うか否かを判定できる。
【０１６６】
よって、管理拠点のブレーカー容量を超える給電をより確実に防ぐことができるばかりでなく、必要以上に給電を行う保冷庫４２〜４６の台数を減らしてしまうことを防ぐことができる。よって、給電装置１０は、時期及び時間帯の変化に対応して効果的な給電制御を行うことができる。
【０１６７】
給電装置１０は、複数のコンセント１３１〜１３６に対する給電状況をコンセント毎に表示する状態表示部１５０を有するため、ユーザーは、コンセント１３１〜１３６に挿入してある電源プラグ４２ｇ〜４６ｇを有する保冷庫４２〜４６の給電状態を把握しやすくなる。
【０１６８】
また、ユーザーは、保冷庫４２〜４６の給電状態を見て、順次保冷庫４２〜４６の電源プラグ４２ｇ〜４６ｇの繋ぎ変えを行うことができる。したがって、多数の使用可能な保冷庫４２〜４６が必要な時間帯において、給電装置１０が保冷庫４２〜４６に給電していない時間を減らし、次々と保冷庫４２〜４６を給電していくことができる。
【０１６９】
ここで、状態表示部１５０は、コンセント毎に各給電状態を表示できればどんな形式で給電状態を表示する構成であってもよい。例えば、ＬＣＤ（Ｌｉｑｕｉｄ  Ｃｒｙｓｔａｌ  Ｄｉｓｐｌａｙ）で構成される状態表示部１５０が、コンセント識別情報と各給電状態を対応付けた画像を表示してもよい。
【０１７０】
給電制御部１６３は、上述したように保冷庫４２〜４６に所定の条件を満たすまで給電を行うように設定されている。所定の条件とは、上述した、保冷庫４２〜４６の蓄冷残時間が保冷庫４２〜４６の必要保冷時間に達することである。
【０１７１】
ここで、所定の条件は、必ずしも保冷庫４２〜４６の蓄冷残時間が保冷庫４２〜４６の必要保冷時間に達するということには限られない。所定の条件は、蓄冷残時間の長さで設定されていなくてもよく、蓄冷量や、蓄冷量を蓄冷残時間以外の物理量に換算したものであってもよい。
【０１７２】
また、所定の条件を満たした保冷庫４２〜４６において、ユーザーに使用されるまでの時間が所定の時間以上ある場合、所定の条件を満たした後、必ずしも給電が停止されなくてもよい。
【０１７３】
給電制御部１６３は、保冷庫４２〜４６が所定の条件を満たし、使用されるまでの時間が所定の時間以上ある場合には、保冷庫４２〜４６に対して給電を継続する。
【０１７４】
ただし、このとき、他に給電待ちの保冷庫４２〜４６がある場合、その保冷庫４２〜４６への給電を優先させる必要があるため、給電制御部１６３は、所定の条件を満たした保冷庫に対して給電を継続しない。
【０１７５】
さらに、給電制御部１６３は、所定の条件を満たした保冷庫４２〜４６に対して順番に給電を行ってもよい。例えば、コンセント１３１〜１３６に挿入されている電源プラグ４２ｇ〜４６ｇを有する保冷庫４２〜４６すべてが必要保冷時間となるまで給電された場合、給電制御部１６３は、それらの保冷庫４２〜４６に対して、順番に所定の時間ごとに給電を行ってもよい（タイムシェアリング方式による給電）。これにより、保冷庫４２〜４６の蓄冷残時間の自然減を防止することができる。
【０１７６】
なお、所定の条件を満たし、コンセント１３１〜１３６に挿入されている電源プラグ４２ｇ〜４６ｇを有する保冷庫４２〜４６がいくつかあれば、給電制御部１６３は、それらの保冷庫４２〜４６に対してタイムシェアリング方式で給電を行ってもよい。ただし、給電制御部１６３は、他に給電待ちの保冷庫４２〜４６がある場合、その保冷庫４２〜４６への給電を優先させる。
【０１７７】
また、上述した第１実施形態の保冷システム１では、保冷庫４２〜４６が、ユーザーが該保冷庫４２〜４６の必要保冷時間を指定するための入力部４２ｆ〜４６ｆを備えるとしたが、給電装置１０が入力部をコンセント１３１〜１３６毎に備えていてもよい。
【０１７８】
また、給電装置１０に、コンセント１３１〜１３６に挿入された電源プラグ４２ｇ〜４６ｇを有する保冷庫４２〜４６の必要保冷時間をコンセント１３１〜１３６と対応付けて指定可能な一つの入力部が設けられていてもよい。
【０１７９】
また、情報取得部１６１が取得する保冷庫４２〜４６の履歴情報には、必ずしも冷蔵／冷凍／チルドの情報が含まれなくてもよく、少なくとも蓄冷残時間及び必要保冷時間が含まれていればよい。
【０１８０】
なお、給電モードが変更されていた場合、優先順位の決定方法が変更されることになる。つまり、給電待ちのコンセント１３１〜１３６の中で、一度優先順位が決定されたとしても、給電モードが変更された場合、給電制御部１６３は、再度優先順位を決定する。このとき、給電待ちのコンセント１３１〜１３６の優先順位が切り替わることになる。
【０１８１】
また、本実施形態では、必要保冷時間は、ユーザーによって指定されるとしたが、ユーザーによって指定されない場合には、保冷庫４２〜４６に予め設定されている時間が、必要保冷時間として、給電装置１０に送信される。
【０１８２】
ここで、予め設定されている時間とは、例えば、９時間機の保冷庫４２〜４６では、該保冷庫４２〜４６が有することができる最大の蓄冷時間である「９時間」であり、１２時間機の保冷庫４２〜４６では、該保冷庫４２〜４６が有することができる最大の蓄冷時間である「１２時間」である。
【０１８３】
（第２実施形態）
以下、図８を参照して本発明の第２実施形態を説明する。以下の説明では第１実施形態と異なる点について主に説明する。
【０１８４】
図８は、本発明の第２実施形態に係る保冷システム１の構成を示すブロック図である。本実施形態の保冷システム１は、保冷庫４２〜４６、給電装置１０に加えて、データ管理サーバ装置２００を備える。
【０１８５】
第１実施形態の保冷庫４２〜４６と比較すると、本実施形態の保冷庫４２〜４６は、通信部４２ｅ〜４６ｅに替えて通信部４２ｈ〜４６ｈを備え、且つ、識別情報通知部４２ｉ〜４６ｉを新たに備える。
【０１８６】
通信部４２ｈ〜４６ｈは、データ管理サーバ装置２００と通信を行い、履歴保持部４２ｃ〜４６ｃは、通信部４２ｈ〜４６ｈを介してデータ管理サーバ装置２００に保冷庫４２〜４６の履歴情報を定期的に送信する。
【０１８７】
また、識別情報保持部４２ｄ〜４６ｄは、通信部４２ｈ〜４６ｈを介して保冷庫４２〜４６の保冷庫識別情報をデータ管理サーバ装置２００に送信する。
【０１８８】
識別情報通知部４２ｉ〜４６ｉは、給電装置１０と通信を行い、識別情報保持部４２ｄ〜４６ｄは、保冷庫識別情報を識別情報通知部４２ｉ〜４６ｉを介して給電装置１０に送信する。
【０１８９】
データ管理サーバ装置２００は、各保冷庫４２〜４６の履歴情報を取得し、管理する。データ管理サーバ装置２００は、通信部２００ａ及び履歴データベース２００ｂを有する。
【０１９０】
通信部２００ａは、各保冷庫４２〜４６と通信を行い、保冷庫４２〜４６から保冷庫４２〜４６の情報（保冷庫識別情報及び履歴情報）を取得する。
【０１９１】
なお、通信部２００ａは、給電装置１０のコンセント１３１〜１３６に挿入された電源プラグ４２ｇ〜４６ｇを有さない保冷庫４２〜４６からも保冷庫４２〜４６の情報を取得する。履歴データベース２００ｂには、通信部２００ａによって取得された保冷庫４２〜４６の情報が記憶されている。
【０１９２】
給電装置１０のコンセント１３１〜１３６は、通信部１３１ｂ〜１３６ｂに替えて識別情報取得部１３１ｃ〜１３６ｃを有する。識別情報取得部１３１ｃ〜１３６ｃは、電源プラグ４２ｇ〜４６ｇがコンセント１３１〜１３６に挿入され、それが挿抜検出部１３１ａ〜１３６ａによって検出された場合、保冷庫４２〜４６から保冷庫識別情報を取得する。
【０１９３】
給電装置１０は、通信部２１０を新たに有する。通信部２１０は、データ管理サーバ装置２００と通信を行い、データ管理サーバ装置２００から保冷庫４２〜４６の情報を取得する。
【０１９４】
以下、本実施形態における給電装置１０の動作と第１実施形態の給電装置１０の動作との相違点を説明する。本実施形態における給電装置１０の動作は、図６のステップＳ１４及びＳ１９を除き、第１実施形態の給電装置１０の動作と同様である。
【０１９５】
図６のステップＳ１４において、情報取得部１６１は、保冷庫４２〜４６の情報をデータ管理サーバ装置２００から取得する。このとき、情報取得部１６１は、挿入された電源プラグ４２ｇ〜４６ｇを有する保冷庫４２〜４６の保冷庫識別情報を通信部２１０を介してデータ管理サーバ装置２００に送信する。
【０１９６】
データ管理サーバ装置２００は、送られてきた保冷庫識別情報に対応する保冷庫４２〜４６の情報を給電装置１０に送信する。情報取得部１６１は、データ管理サーバ装置２００から保冷庫識別情報に対応する保冷庫４２〜４６の情報を通信部２１０を介して受信する。
【０１９７】
また、図６のステップＳ１９においても同様に、給電リストに登録されている保冷庫識別情報をデータ管理サーバ装置２００に送信することで、保冷庫識別情報に対応した保冷庫４２〜４６の情報を取得する。
【０１９８】
以上説明したように、本実施形態の給電装置１０は、保冷庫４２〜４６の情報を管理しているデータ管理サーバ装置２００から必要な保冷庫４２〜４６の情報を取得して、取得した情報に基づいて保冷庫４２〜４６の給電を制御する。よって、第２実施形態においても、第１実施形態と同様の作用効果を奏する。
【０１９９】
その他、上記各実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【０２００】
本発明は、保冷庫の予冷のための給電を行う給電装置に好適に利用される。
【符号の説明】
【０２０１】
１  保冷システム
１０  給電装置
４２，４６  保冷庫
４２ａ，４６ａ  計測部
４２ｂ，４６ｂ  庫内温度制御部
４２ｃ，４６ｃ  履歴保持部
４２ｄ，４６ｄ  識別情報保持部
４２ｅ，４６ｅ，４２ｈ，４６ｈ，１３１ｂ，１３２ｂ，１３６ｂ，２００ａ，２１０  通信部
４２ｆ，４６ｆ  入力部
４２ｇ，４３ｇ，４４ｇ，４５ｇ，４６ｇ  電源プラグ
４２ｉ，４６ｉ  識別情報通知部
１０１，１０２，１０３，１０４，１０５，１０６  給電待ちランプ
１１１，１１２，１１３，１１４，１１５，１１６  給電中ランプ
１２１，１２２，１２３，１２４，１２５，１２６  給電完了ランプ
１３１，１３２，１３３，１３４，１３５，１３６  コンセント
１３１ａ，１３２ａ，１３６ａ  挿抜検出部
１３１ｃ，１３２ｃ，１３６ｃ  識別情報取得部
１４０  記憶部
１５０  状態表示部
１６０  制御部
１６１  情報取得部
１６２  情報管理部
１６３  給電制御部
１６４  表示制御部
２００  データ管理サーバ装置
２００ｂ  履歴データベース
【図１】
2020137246.tif 000003
【図２】
2020137246.tif 000004
【図３】
2020137246.tif 000005
【図４】
2020137246.tif 000006
【図５】
2020137246.tif 000007
【図６】
2020137246.tif 000008
【図７】
2020137246.tif 000009
【図８】
2020137246.tif 000010